(57)【要約】【課題】本発明は、面積の大きな気圧調整シートを使用する場合であっても、設計自由度の低下を抑制する携帯電話機を提供することを目的とする。【解決手段】携帯電話機１は、内部空間ＩＳを有する第１内部ケース２ａと、外部ケース２ｂと、第１内部ケース２ａと外部ケース２ｂとの間に配置される内側気圧調整部材１３０であって、防水性及び通気性を有する第１防水部２３１と、通気性を有する第２穴部２０３と、を有する気圧調整シート１３２と、第１気圧調整シート１３２に所定の部材を介して積層配置される気圧調整シート１３６であって、通気性を有し、第１防水部２３１を通気した気体を通気させる第９穴部２１７と、防水性及び通気性を有し、第２穴部２０３を通気した気体を通気させる第２防水部２３３と、を有する気圧調整シート１３６と、を有する内側気圧調整部材１３０と、を備える。【選択図】図１０
2013058918.tif 000002
【特許請求の範囲】
【請求項１】
内部空間を有する内部ケース部材と、
前記内部ケース部材に形成され、前記内部空間と該内部ケース部材の外部空間とを連通させる第１貫通孔と、
前記内部ケース部材の外側に配置される外部ケース部材と、
前記外部ケース部材の一面側と他面側とを連通させる第２貫通孔と、
前記内部ケース部材と前記外部ケース部材との間に、一方の面が第１貫通孔に対向すると共に他方の面が第２貫通孔に対向して配置される気圧調整部材と、を有し、
前記気圧調整部材は、
第１穴部を有し、前記第１穴部が前記第１貫通孔に対向して配置され、前記第１貫通孔を囲むように配置される環状の第１接着シート部材と、
前記第１接着シート部材に前記第１穴部を覆うように積層配置される防水性及び通気性を有する第１気圧調整シートであって、前記第１穴部の所定領域に対向して配置される第２穴部と、前記第１穴部の他の領域に対向して配置され前記第２穴部よりも面積が大きい第１防水部と、を有する第１気圧調整シートと、
前記第１気圧調整シートに積層配置され、前記第２穴部に対向して配置される第３穴部と、前記第１防水部に対向して配置される第４穴部と、を有する第１中間シートと、
前記第１中間シートに積層配置され、前記第３穴部に対向して配置される第５穴部と、前記第４穴部に対向して配置される第６穴部と、有する第２中間シートと、
前記第２中間シートに積層配置され、前記第５穴部に対向して配置される第７穴部と、前記第６穴部に対向して配置される第８穴部と、を有する第３中間シートと、
前記第３中間シートに積層配置される防水性及び通気性を有する第２気圧調整シートであって、前記第７穴部に対向して配置される第２防水部と、前記第８穴部に対向して配置される第９穴部と、を有する第２気圧調整シートと、を有する携帯電子機器。
【請求項２】
前記気圧調整部材は、
前記第２気圧調整シートに積層配置され第１０穴部を有する環状の第２接着シート部材であって、前記第１０穴部が前記第９穴部及び前記第２防水部に対向して配置されると共に、前記第２貫通孔に対向して配置される環状の第２接着シート部材と、を備える
請求項１に記載の携帯電子機器。
【請求項３】
前記気圧調整部材は、
前記内部ケース部材における前記内部空間と前記外部ケース部材における前記内部ケース部材側と反対側の外部空間とを第１防水部を介して連通させる第１通気路と、
前記第１通気路とは別の通気路であって、前記内部空間と前記外部空間とを前記第２防水部を介して連通させる第２通気路と、を備え、
前記第１通気路は、
前記第１穴部と、前記第１防水部と、前記第４穴部と、前記第６穴部と、前記第８穴部と、前記第９穴部とを含み、
前記第２通気路は、
前記第１穴部と、前記第２穴部と、前記第３穴部と、前記第５穴部と、前記第７穴部と、前記第２防水部とを含む
請求項１又は２に記載の携帯電子機器。
【請求項４】
前記内部空間に配置されるスピーカ部と、
前記内部ケース部材の外側であって前記内部ケース部材の長手方向において一端側に配置される操作部と、を備え、
前記第２貫通孔は、前記長手方向における他端側に形成される
請求項１から３のいずれかに記載の携帯電子機器。
【請求項５】
前記第１気圧調整シート及び前記第２気圧調整シートそれぞれは、所定方向に長い形状であって互いに略同じ形状であり、
前記第１気圧調整シートに形成される前記第２穴部は、前記所定方向（長手方向）における一端側に形成され、
前記第２気圧調整シートに形成される前記第９穴部は、前記所定方向（長手方向）における他端側に形成される
請求項１から４のいずれかに記載の携帯電子機器。
【請求項６】
前記第２中間シートは、非通気性の材料で構成される
請求項１から５のいずれかに記載の携帯電子機器。
【請求項７】
内部に内部空間を有する内部ケース部材と、
前記内部ケース部材に形成され、前記内部空間と該内部ケース部材の外部空間とを連通させる第１貫通孔と、
前記内部ケース部材の外側に配置される外部ケース部材と、
前記外部ケース部材の一面側と他面側とを連通させる第２貫通孔と、を有する携帯電子機器に用いられる気圧調整部材であって、
前記内部ケース部材と前記外部ケース部材との間に、一方の面が第１貫通孔に対向すると共に他方の面が第２貫通孔に対向して配置され、
第１穴部を有する環状の第１接着シート部材であって、前記第１穴部が前記第１貫通孔に対向して配置され、前記第１貫通孔を囲むように配置される環状の第１接着シート部材と、
前記第１接着シート部材に前記第１穴部を覆うように積層配置される防水性及び通気性を有する第１気圧調整シートであって、前記第１穴部の所定領域に対向して配置される第２穴部と、前記第１穴部の他の領域に対向して配置され前記第２穴部よりも面積が大きい第１防水部と、を有する第１気圧調整シートと、
前記第１気圧調整シートに積層配置され、前記第２穴部に対向して配置される第３穴部と、前記第１防水部に対向して配置され前記第３穴部よりも面積が大きい第４穴部と、を有する第１中間シートと、
前記第１中間シートに積層配置され、前記第３穴部に対向して配置される第５穴部と、前記第４穴部に対向して配置され前記第４穴部よりも面積が小さい第６穴部と、有する第２中間シートと、
前記第２中間シートに積層配置され、前記第５穴部に対向して配置され前記第５穴部よりも面積が大きい第７穴部と、前記第６穴部に対向して配置される第８穴部と、を有する第３中間シートと、
前記第３中間シートに積層配置される防水性及び通気性を有する第２気圧調整シートであって、前記第７穴部に対向して配置される第２防水部と、前記第８穴部に対向して配置される第９穴部と、を有する第２気圧調整シートと、を備える
気圧調整部材。
【請求項８】
内部に内部空間を有する内部ケース部材と、
前記内部ケース部材に形成され、前記内部空間と該内部ケース部材の外部空間とを連通させる第１貫通孔と、
前記内部ケース部材の外側に配置される外部ケース部材と、
前記外部ケース部材の一面側と他面側とを連通させる第２貫通孔と、
前記内部ケース部材と前記外部ケース部材との間に、一方の面が第１貫通孔に対向すると共に他方の面が第２貫通孔に対向して配置される気圧調整部材と、を有し、
前記気圧調整部材は、
水は透過させず気体は通気させる第１通気路を構成する第１シート側防水部と、水は透過させず気体は通気させ、前記第１通気路とは別の第２通気路を構成し前記第１シート側防水部よりも面積が小さい第１シート側穴部と、を有し、防水性及び通気性を有する第１気圧調整シートと、
前記第１通気路を構成する第２シート側穴部と、前記第２通気路を構成し前記第２シート側穴部よりも面積が大きい第２シート側防水部と、を有し、前記第１気圧調整シートに所定の部材を介して積層配置される防水性及び通気性を有する第２気圧調整シートと、を有する携帯電子機器。
【請求項９】
内部に内部空間を有する内部ケース部材と、
前記内部ケース部材に形成され、前記内部空間と該内部ケース部材の外部空間とを連通させる第１貫通孔と、
前記内部ケース部材の外側に配置される外部ケース部材と、
前記外部ケース部材の一面側と他面側とを連通させる第２貫通孔と、
前記内部ケース部材と前記外部ケース部材との間に、一方の面が第１貫通孔に対向すると共に他方の面が第２貫通孔に対向して配置される気圧調整部材と、を有し、
前記気圧調整部材は、第１気圧調整シートと、第２気圧調整シートと、を有し、
前記第１気圧調整シートは、防水性及び通気性を有する第１シート側防水部と、通気性を有する第１シート側穴部と、を有し、
前記第２気圧調整シートは、前記第１気圧調整シートに積層配置され、通気性を有し、第１シート側防水部を通気した気体を通気させる第２シート側穴部と、防水性及び通気性を有し、第１シート側穴部を通気した気体を通気させる第２シート側防水部と、を有する第２気圧調整シートと、を有する携帯電子機器。
【発明の詳細な説明】
【技術分野】
【０００１】
本発明は、携帯電話機等の携帯電子機器に関する。また、本発明は、携帯電子機器等に用いられる気圧調整部材に関する。
【背景技術】
【０００２】
近年、防水機能を有する携帯電子機器としての携帯電話機が存在する。具体的には、ケース部材に内部に形成された内部空間に水が浸入すること抑制可能な携帯電話機が存在する。
ここで、防水機能を有する携帯電話機において、操作部に対するユーザからの押圧操作等によるケース部材の変形により、内部空間における内圧が急激に上昇する場合がある。
この場合、例えば、ケース部材の内部に収容配置されたレシーバ部材（スピーカ部材）等において、いわゆる音びり（ビリ音）が発生する場合がある。
【０００３】
これに対して、内部空間における内圧の急激な変化を抑制するため気圧調整部を備える携帯電話機が存在する。
例えば、内部ケース部材に形成された通気孔と、通気孔とを覆うように配置される防水性を有する気圧調整シートとを備える携帯電話機が提案されている（例えば、特許文献１参照）。
【先行技術文献】
【特許文献】
【０００４】
【特許文献１】特開２０１０−２７８６１６号公報
【発明の概要】
【発明が解決しようとする課題】
【０００５】
気圧調整部材における通気量は、気圧調整シートの面積に依存するため、急激な内圧の変化に対応するために面積の大きな気圧調整シートを使用することが好ましい。
面積の大きな気圧調整シートを使用する場合であっても、携帯電話機における設計の自由度をできるだけ低下させないことが望ましい。
【０００６】
本発明は、面積の大きな気圧調整シートを使用する場合であっても、設計自由度の低下を抑制する携帯電話機を提供することを目的とする。
【課題を解決するための手段】
【０００７】
本発明は、内部空間を有する内部ケース部材と、前記内部ケース部材に形成され、前記内部空間と該内部ケース部材の外部空間とを連通させる第１貫通孔と、前記内部ケース部材の外側に配置される外部ケース部材と、前記外部ケース部材の一面側と他面側とを連通させる第２貫通孔と、前記内部ケース部材と前記外部ケース部材との間に、一方の面が第１貫通孔に対向すると共に他方の面が第２貫通孔に対向して配置される気圧調整部材と、を有し、前記気圧調整部材は、第１穴部を有し、前記第１穴部が前記第１貫通孔に対向して配置され、前記第１貫通孔を囲むように配置される環状の第１接着シート部材と、前記第１接着シート部材に前記第１穴部を覆うように積層配置される防水性及び通気性を有する第１気圧調整シートであって、前記第１穴部の所定領域に対向して配置される第２穴部と、前記第１穴部の他の領域に対向して配置され前記第２穴部よりも面積が大きい第１防水部と、を有する第１気圧調整シートと、前記第１気圧調整シートに積層配置され、前記第２穴部に対向して配置される第３穴部と、前記第１防水部に対向して配置される第４穴部と、を有する第１中間シートと、前記第１中間シートに積層配置され、前記第３穴部に対向して配置される第５穴部と、前記第４穴部に対向して配置される第６穴部と、有する第２中間シートと、前記第２中間シートに積層配置され、前記第５穴部に対向して配置される第７穴部と、前記第６穴部に対向して配置される第８穴部と、を有する第３中間シートと、前記第３中間シートに積層配置される防水性及び通気性を有する第２気圧調整シートであって、前記第７穴部に対向して配置される第２防水部と、前記第８穴部に対向して配置される第９穴部と、を有する第２気圧調整シートと、を有する携帯電子機器に関する。
【０００８】
また、携帯電子機器において、前記気圧調整部材は、前記第２気圧調整シートに積層配置され第１０穴部を有する環状の第２接着シート部材であって、前記第１０穴部が前記第９穴部及び前記第２防水部に対向して配置されると共に、前記第２貫通孔に対向して配置される環状の第２接着シート部材と、を備えることが好ましい。
【０００９】
また、携帯電子機器において、前記気圧調整部材は、前記内部ケース部材における前記内部空間と前記外部ケース部材における前記内部ケース部材側と反対側の外部空間とを第１防水部を介して連通させる第１通気路と、前記第１通気路とは別の通気路であって、前記内部空間と前記外部空間とを前記第２防水部を介して連通させる第２通気路と、を備え、前記第１通気路は、前記第１穴部と、前記第１防水部と、前記第４穴部と、前記第６穴部と、前記第８穴部と、前記第９穴部とを含み、前記第２通気路は、前記第１穴部と、前記第２穴部と、前記第３穴部と、前記第５穴部と、前記第７穴部と、前記第２防水部とを含むことが好ましい。
【００１０】
また、携帯電子機器は、前記内部空間に配置されるスピーカ部と、前記内部ケース部材の外側であって前記内部ケース部材の長手方向において一端側に配置される操作部と、を備え、前記第２貫通孔は、前記長手方向における他端側に形成されることが好ましい。
【００１１】
また、携帯電子機器において、前記第１気圧調整シート及び前記第２気圧調整シートそれぞれは、所定方向に長い形状であって互いに略同じ形状であり、前記第１気圧調整シートに形成される前記第２穴部は、前記所定方向（長手方向）における一端側に形成され、前記第２気圧調整シートに形成される前記第９穴部は、前記所定方向（長手方向）における他端側に形成されることが好ましい。
【００１２】
また、携帯電子機器において、前記第２中間シートは、非通気性の材料で構成されることが好ましい。
【００１３】
また、本発明は、内部に内部空間を有する内部ケース部材と、前記内部ケース部材に形成され、前記内部空間と該内部ケース部材の外部空間とを連通させる第１貫通孔と、前記内部ケース部材の外側に配置される外部ケース部材と、前記外部ケース部材の一面側と他面側とを連通させる第２貫通孔と、を有する携帯電子機器に用いられる気圧調整部材であって、前記内部ケース部材と前記外部ケース部材との間に、一方の面が第１貫通孔に対向すると共に他方の面が第２貫通孔に対向して配置され、第１穴部を有する環状の第１接着シート部材であって、前記第１穴部が前記第１貫通孔に対向して配置され、前記第１貫通孔を囲むように配置される環状の第１接着シート部材と、前記第１接着シート部材に前記第１穴部を覆うように積層配置される防水性及び通気性を有する第１気圧調整シートであって、前記第１穴部の所定領域に対向して配置される第２穴部と、前記第１穴部の他の領域に対向して配置され前記第２穴部よりも面積が大きい第１防水部と、を有する第１気圧調整シートと、前記第１気圧調整シートに積層配置され、前記第２穴部に対向して配置される第３穴部と、前記第１防水部に対向して配置され前記第３穴部よりも面積が大きい第４穴部と、を有する第１中間シートと、前記第１中間シートに積層配置され、前記第３穴部に対向して配置される第５穴部と、前記第４穴部に対向して配置され前記第４穴部よりも面積が小さい第６穴部と、有する第２中間シートと、前記第２中間シートに積層配置され、前記第５穴部に対向して配置され前記第５穴部よりも面積が大きい第７穴部と、前記第６穴部に対向して配置される第８穴部と、を有する第３中間シートと、前記第３中間シートに積層配置される防水性及び通気性を有する第２気圧調整シートであって、前記第７穴部に対向して配置される第２防水部と、前記第８穴部に対向して配置される第９穴部と、を有する第２気圧調整シートと、を備える気圧調整部材に関する。
【００１４】
また、本発明は、内部に内部空間を有する内部ケース部材と、前記内部ケース部材に形成され、前記内部空間と該内部ケース部材の外部空間とを連通させる第１貫通孔と、前記内部ケース部材の外側に配置される外部ケース部材と、前記外部ケース部材の一面側と他面側とを連通させる第２貫通孔と、前記内部ケース部材と前記外部ケース部材との間に、一方の面が第１貫通孔に対向すると共に他方の面が第２貫通孔に対向して配置される気圧調整部材と、を有し、前記気圧調整部材は、水は透過させず気体は通気させる第１通気路を構成する第１シート側防水部と、水は透過させず気体は通気させ、前記第１通気路とは別の第２通気路を構成し前記第１シート側防水部よりも面積が小さい第１シート側穴部と、を有し、防水性及び通気性を有する第１気圧調整シートと、前記第１通気路を構成する第２シート側穴部と、前記第２通気路を構成し前記第２シート側穴部よりも面積が大きい第２シート側防水部と、を有し、前記第１気圧調整シートに所定の部材を介して積層配置される防水性及び通気性を有する第２気圧調整シートと、を有する携帯電子機器に関する。
【００１５】
また、本発明は、内部に内部空間を有する内部ケース部材と、前記内部ケース部材に形成され、前記内部空間と該内部ケース部材の外部空間とを連通させる第１貫通孔と、前記内部ケース部材の外側に配置される外部ケース部材と、前記外部ケース部材の一面側と他面側とを連通させる第２貫通孔と、前記内部ケース部材と前記外部ケース部材との間に、一方の面が第１貫通孔に対向すると共に他方の面が第２貫通孔に対向して配置される気圧調整部材と、を有し、前記気圧調整部材は、第１気圧調整シートと、第２気圧調整シートと、を有し、前記第１気圧調整シートは、防水性及び通気性を有する第１シート側防水部と、通気性を有する第１シート側穴部と、を有し、前記第２気圧調整シートは、前記第１気圧調整シートに積層配置され、通気性を有し、第１シート側防水部を通気した気体を通気させる第２シート側穴部と、防水性及び通気性を有し、第１シート側穴部を通気した気体を通気させる第２シート側防水部と、を有する第２気圧調整シートと、を有する携帯電子機器に関する。
【発明の効果】
【００１６】
本発明によれば、面積の大きな気圧調整シートを使用する場合であっても、設計自由度の低下を抑制する携帯電話機を提供することができる。
【図面の簡単な説明】
【００１７】
【図１】携帯電話機１における正面図である。
【図２】携帯電話機１における裏面図である。
【図３】携帯電話機１における側面図である。
【図４】携帯電話機１における裏面側の斜視図である。
【図５】図４の携帯電話機１における展開図である。
【図６】図１におけるＡ−Ａ断面図である。
【図７】図１におけるＢ−Ｂ断面図である。
【図８】図２におけるＣ−Ｃ断面図である。
【図９】図８のＣ−Ｃ断面図における展開図である。
【図１０】内側気圧調整部材１３０における展開図である。
【図１１】内側気圧調整部材１３０における作用を説明するための模式図である。
【図１２】他の実施形態としての内側気圧調整部材５００における構成及び作用を説明するための模式図である。
【発明を実施するための形態】
【００１８】
以下、図面を参照して本発明を実施するための形態を説明する。
図１から図８により、携帯電話機１（携帯電子機器）における基本構造を説明する。
図１は、携帯電話機１における正面図である。図２は、携帯電話機１における裏面図である。図３は、携帯電話機１における側面図である。図４は、携帯電話機１における裏面側の斜視図である。図５は、図４の携帯電話機１における展開図である。図６は、図１におけるＡ−Ａ断面図である。図７は、図１におけるＢ−Ｂ断面図である。図８は、図２におけるＣ−Ｃ断面図である。本実施形態における携帯電話機１は、防水機能を有する携帯電話機である。
【００１９】
図１から図４に示すように、携帯電話機１は、筐体２を有する。
筐体２は、表面２Ａと、裏面２Ｂとを有する。本実施形態において、表面２Ａは、ユーザに対向する面であってユーザからの押圧操作を受ける面である。また、裏面２Ｂは、ユーザの指や手の平に対向して配置される（載置される）面である。
筐体２における外郭は、外部ケース２ｂと、バッテリーカバー２ｃと、第２内部ケース２ｄと、フロントパネル２ｅとにより構成される。また、筐体２における内部には、内部空間ＩＳを有する第１内部ケース２ａが配置される。
【００２０】
筐体２における表面２Ａ側には、操作キー群１１と、第１スライドキー１２と、表示部２１と、音出力部２５（レシーバ用孔２５ａ）と、表面側気圧調整部１１０（外側通気孔１１１）とが配置される。
また、筐体２における裏面２Ｂ側には、裏面側気圧調整部１２０（外側通気孔１２１）が配置される。
また、筐体２における長手方向の側面には、インターフェース１７（ＩＦカバー１７ａ）と、サイドキー１６と、第２スライドキー１９とが配置される。
また、筐体２における短手方向の側面には、音入力部２４（マイク用孔２４ａ）が配置される。
【００２１】
操作キー群１１は、内部ケース（第１内部ケース２ａ及び第２内部ケース２ｄ）の長手方向における一端側に配置される。
操作キー群１１は、第２内部ケース２ｄの外側に配置される第１操作キー１１ａ、第２操作キー１１ｂ、第３操作キー１１ｃを備える。
第１操作キー１１ａ、第２操作キー１１ｂ、第３操作キー１１ｃそれぞれには、所定の機能がアサインされている。第１操作キー１１ａ、第２操作キー１１ｂ、第３操作キー１１ｃのいずれかが選択（押下）された場合、選択された機能にアサインされた機能が実行される（対応アプリケーションが起動する）。
第１操作キー１１ａ、第２操作キー１１ｂ、第３操作キー１１ｃに対しては、例えば、表示部２１に各操作キーの近傍に表示されたアイコン等の機能表示に対応する機能をアサインされる。
【００２２】
第１スライドキー１２は、携帯電話機１における長手方向の一端側に形成される。第１スライドキー１２は、表面２Ａに沿って筐体２の幅方向にスライド移動可能に構成される。
第１スライドキー１２は、位置に応じて所定の機能や起動中の機能における動作条件がアサインされる。
例えば、第１スライドキー１２は、位置に応じて、呼び出し音やレシーバ２５ｂの出音の大きさを切り替えるように動作条件がアサインされてもよく、位置に応じて、他の機能が起動（切替）するようにアサインされてもよい。
【００２３】
表示部２１は、文字情報や画像情報等の各種情報を表示可能に構成される。
表示部２１は、所定の機能に対応した文字情報や画像情報を表示可能に構成される。
【００２４】
音出力部２５は、筐体２における該筐体２の長手方向における一端側に配置される。音出力部２５は、長手方向において、後述する音入力部２４と反対の端部側に配置される。
音出力部２５は、表面２Ａに形成されたレシーバ用孔２５ａと、第１内部ケース２ａ第２内部ケース２ｄの内部に収容配置されるレシーバ２５ｂ（スピーカ）とを有する。
レシーバ用孔２５ａは、第２内部ケース２ｄ及びフロントパネル２ｅに形成された貫通孔である。
レシーバ２５ｂは、第１内部ケース２ａと第２内部ケース２ｄとにより形成された内部空間ＩＳに収容配置される（図６参照）。レシーバ２５ｂは、振動部材を有する。ここで、内部空間ＩＳの内圧が変化すると、レシーバ２５ｂにおいてビリ音が発生する場合がある。
【００２５】
表面側気圧調整部１１０は、表面２Ａ側に形成される気圧調整部である。表面側気圧調整部１１０は、後述する裏面側気圧調整部１２０と共に、内部空間ＩＳと外部空間ＯＳとの気圧が同じくなるよう調整する。
表面側気圧調整部１１０は、気圧調整部材１１３を有する。
気圧調整部材１１３は、１枚の気圧調整シート（不図示）を有して構成される。
気圧調整部材１１３に用いられる気圧調整シートは、防水機能を有すると共に、通気性を有するシートである。
【００２６】
裏面側気圧調整部１２０は、裏面２Ｂ側に形成される気圧調整部である。裏面側気圧調整部１２０は、上述した表面側気圧調整部１１０と共に、内部空間ＩＳと外部空間ＯＳとの気圧が同じくなるよう調整する。
裏面側気圧調整部１２０は、内側気圧調整部材１３０を有する。
内側気圧調整部材１３０は、２枚の気圧調整シート１３２、１３６（図１０及び図１１参照）を有して構成される。
内側気圧調整部材１３０に用いられる気圧調整シートは、防水機能を有すると共に、通気性を有するシートである。
裏面側気圧調整部１２０及び内側気圧調整部材１３０については、後に詳述する。
【００２７】
インターフェース１７は、不使用時には、ＩＦカバー１７ａにより覆われている。
サイドキー１６は、所定の機能がアサインされている。サイドキー１６が選択（押下）された場合、選択された機能にアサインされた機能が実行される（対応アプリケーションが起動する）。本実施形態において、例えば、サイドキー１６には、キーロック機能がアサインされる。
【００２８】
第２スライドキー１９は、側面に沿って筐体２の長手方向にスライド移動可能に構成される。
第２スライドキー１９は、位置に応じて所定の機能や起動中の機能における動作条件がアサインされる。
例えば、第２スライドキー１９は、位置に応じて、電源をオン／オフするよう動作条件がアサインされていてもよい。
【００２９】
音入力部２４は、筐体２における短手方向に延びる側面に配置される。音入力部２４は、長手方向において、後述する音出力部２５と反対の端部側に配置される。
音入力部２４は、側面に形成されたマイク用孔２４ａと、第１内部ケース２ａ及び第２内部ケース２ｄの内部に収容配置されるマイク２４ｂとを有する。
マイク用孔２４ａは、第２内部ケース２ｄに形成された貫通孔である。
マイク２４ｂは、第１内部ケース２ａと第２内部ケース２ｄとにより形成された内部空間ＩＳに収容配置される（図６参照）。
【００３０】
次いで、図５から図８により、携帯電話機１における内部構造について説明する。
図５に示すように、上述の通り、筐体２は、第１内部ケース２ａ（内部ケース部材）と、外部ケース２ｂ（外部ケース部材）と、バッテリーカバー２ｃと、第２内部ケース２ｄと、フロントパネル２ｅとを備える。
【００３１】
第１内部ケース２ａは、筐体２の内部側に配置されるケース部材である。第１内部ケース２ａは、第２内部ケース２ｄとともに内部空間ＩＳを形成する。
第１内部ケース２ａは、外側（外部空間ＯＳ側）に形成されるバッテリ収容部８１を有する。バッテリ収容部８１には、バッテリが収容配置される。バッテリ収容部８１は、バッテリが収容された状態でバッテリーカバー２ｃにより密閉される。
また、第１内部ケース２ａには、後述する内側通気孔１２５が形成される。内側通気孔１２５は、内部空間ＩＳと外部空間ＯＳとを連通させる。詳細には、内側通気孔１２５は、内部空間ＩＳと外部空間ＭＳＡとを連通させる（図８及び図９参照）。
【００３２】
外部ケース２ｂは、第１内部ケース２ａの外側（外部空間ＯＳ側）に配置される。外部ケース２ｂは、第１内部ケース２ａの外側に積層配置される。
外部ケース２ｂは、開口１９０を有する。開口１９０は、バッテリを着脱するための開口であって、上述のバッテリ収容部８１に対応して形成される。開口１９０は、バッテリーカバー２ｃにより被覆される部分である。
外部ケース２ｂには、後述する外側通気孔１２１が形成される。外側通気孔１２１は、内部ケースの長手方向における操作キー群１１側と反対の他端側に形成される。外側通気孔１２１は、外部ケース２ｂにおける一面側と他面側とを連通させる。外側通気孔１２１は、内部空間ＩＳと外部空間ＯＳとを連通させる。詳細には、外側通気孔１２１は、外部空間ＭＳＢと外部空間ＯＳとを連通させる（図８及び図９参照）。
【００３３】
バッテリーカバー２ｃは、上述の通り、開口１９０を覆うように配置されると共に、バッテリ収容部８１を密閉する部材である。
【００３４】
第２内部ケース２ｄは、第１内部ケース２ａとともに内部空間ＩＳを形成する。第２内部ケース２ｄは、第１内部ケース２ａと防水パッキン等を介して組み合わされる。第２内部ケース２ｄは、第１内部ケース２ａとともに密閉された内部空間ＩＳを形成する。
言い換えると、第１内部ケース２ａと第２内部ケース２ｄとは、内部空間ＩＳを形成する内部ケース部材２０を構成する。
【００３５】
フロントパネル２ｅは、光透過性の板状部材である。フロントパネル２ｅは、筐体２における表示部２１側の表面に配置される。フロントパネル２ｅは、表示部２１に表示した文字や画像を外部に視認可能に透過する。
また、表示部２１がタッチパネルである場合、フロントパネル２ｅは、ユーザの指やタッチペンにより接触される部分である。
【００３６】
第１内部ケース２ａと第２内部ケース２ｄとの間には、内部空間ＩＳが形成される。
内部空間ＩＳは、防水され密閉された空間であって、後述する表面側気圧調整部１１０及び裏面側気圧調整部１２０により、防水性を維持しつつ、気圧が外部空間ＯＳと同じ気圧になるよう調整されている。
そして、内部空間ＩＳには、マイク２４ｂと、レシーバ２５ｂと、表示部２１と、キー構造部（不図示）と、回路基板（不図示）と、アンテナ（不図示）とが収容配置される。
【００３７】
図６に示すように、レシーバ２５ｂは、内部空間ＩＳに収容されると共に、レシーバ用孔２５ａを介して外部空間ＯＳにつながるよう配置される。
レシーバ２５ｂは、振動板（不図示）を振動させることで、レシーバ用孔２５ａを介して外部空間ＯＳに出音する。
ここで、レシーバ２５ｂは、内部空間ＩＳにおける内圧が上昇した場合、ビリ音が生じる等の不具合が生じる場合がある。
【００３８】
表示部２１は、液晶パネルと、液晶パネルを駆動する駆動回路と、液晶パネルの背面側から光を照射するバックライト等の光源部とを含んで構成される。
【００３９】
キー構造部は、操作キー１１ａ、１１ｂ、１１ｃそれぞれに対応する操作部材と、キーシートと、各操作部材に対応するスイッチが実装されたキー基板と、を有する。
【００４０】
回路基板は、平板状の基板部と、基板部の表面に実装される電子部品及び各種回路ブロックと、基板部の表面に実装される基準電位パターン層（グランドパターン層）とを有する。
基板部に実装される電子部品は、例えば、アンテナが送受信する信号を処理する信号処理部を含む電子部品等である。また、回路ブロックは、例えば、ＲＦ（Ｒａｄｉｏ  Ｆｒｅｑｕｅｎｃｙ）回路や電源回路等である。
【００４１】
アンテナは、基台と、基台に上に配置された所定形状のアンテナエレメントとを有して構成される。
アンテナエレメントは、帯状の板金により形成される。アンテナエレメントは、不図示の給電端子を介して回路基板から給電される。これにより、アンテナエレメントは、給電端子を介して回路基板から給電されると共に、回路基板のＲＦモジュール等と接続される。
【００４２】
続けて、図７から図１１により、携帯電話機１における気圧調整機構について説明する。図９は、図８のＣ−Ｃ断面図における展開図である。図１０は、内側気圧調整部材１３０における展開図である。図１１は、内側気圧調整部材１３０における作用を説明するための模式図である。
【００４３】
本実施形態において、携帯電話機１は、気圧調整機構として、表面側気圧調整部１１０と、裏面側気圧調整部１２０とを有する。
【００４４】
図７に示すように、表面側気圧調整部１１０は、表面２Ａ側に形成される気圧調整部である。表面側気圧調整部１１０は、裏面側気圧調整部１２０と共に、内部空間ＩＳと外部空間ＯＳとの気圧が同じくなるよう調整する。
表面側気圧調整部１１０は、外側通気孔１１１と、内側通気孔１１５と、気圧調整部材１１３とを有する。
外側通気孔１１１は、フロントパネル２ｅに形成された貫通孔である。
内側通気孔１１５は、第２内部ケース２ｄに形成された貫通孔である。
【００４５】
気圧調整部材１１３は、防水性を有すると共に、通気性を有する部材である。気圧調整部材１１３は、１枚の気圧調整シート（不図示）を有して構成される。気圧調整部材１１３に用いられる気圧調整シートは、防水性を有すると共に、通気性を有するシートである。
【００４６】
図８に示すように、裏面側気圧調整部１２０は、裏面２Ｂ側に形成される気圧調整部である。裏面側気圧調整部１２０は、上述した表面側気圧調整部１１０と共に、内部空間ＩＳと外部空間ＯＳとの気圧が同じくなるよう調整する。
裏面側気圧調整部１２０は、外側通気孔１２１（第２貫通孔）と、内側通気孔１２５（第１通気孔）と、内側気圧調整部材１３０とを有する。
外側通気孔１２１及び内側通気孔１２５については、上述の通りである。
【００４７】
図８及び図９に示すように、内側気圧調整部材１３０は、第１内部ケース２ａと外部ケース２ｂとの間に配置される。
内側気圧調整部材１３０は、一方の面が内側通気孔１２５に対向すると共に、他方の面が外側通気孔１２１に対向して配置される。
内側気圧調整部材１３０は、内部空間ＩＳと外部空間ＯＳとを仕切るように配置される。詳細には、内側気圧調整部材１３０は、内部空間ＩＳに連続する外部空間ＭＳＡと、外部空間ＯＳに連続する外部空間ＭＳＢとを仕切るように配置される。
【００４８】
本実施形態において、内側気圧調整部材１３０は、略長方形状に形成される。内側気圧調整部材１３０は、長手方向Ｐに長い形状である。
【００４９】
図１０に示すように、内側気圧調整部材１３０は、内側通気孔１２５側から外側通気孔１２１側から順に配置される、第１接着シート部材１３１と、第１気圧調整シート１３２と、第１中間シート１３３と、第２中間シート１３４と、第３中間シート１３５と、第２気圧調整シート１３６と、第２接着シート部材１３７と、を備える。
【００５０】
第１接着シート部材１３１は、第１穴部２０１を有する環状の接着シート部材である。
第１接着シート部材１３１は、第１穴部２０１が内側通気孔１２５に対向して配置され、内側通気孔１２５を囲むように配置される。
第１接着シート部材１３１は、第１気圧調整シート１３２と第１内部ケース２ａとを密着させると共に、密着した状態で互いを接着する。
【００５１】
第１気圧調整シート１３２は、第１穴部２０１を覆うように第１接着シート部材１３１に積層配置される。第１気圧調整シート１３２は、防水性及び通気性を有するシート部材である。
第１気圧調整シート１３２は、第２穴部２０３（第１シート側穴部）と、第１防水部２３１（第１シート側防水部）と、を有する。
【００５２】
第２穴部２０３は、長手方向ＰにおけるＰ１側に形成される。第２穴部２０３は、第１穴部２０１の所定領域に対向して配置される。
【００５３】
第１防水部２３１は、長手方向ＰにおけるＰ２側に形成される。第１防水部２３１は、第１穴部２０１の上記所定領域とは異なる他の領域に対向して配置される。
第１防水部２３１は、第２穴部２０３よりも面積が大きくなるよう設定される。
第１防水部２３１は、後述する第４穴部２０７に対応する部分である。
第１防水部２３１は、防水性を有すると共に、通気性を有する部分である。
第１防水部２３１の面積と、後述する第２防水部２３３の面積とが、内側気圧調整部材１３０における通気性（通気量／時間）に大きく影響を与える。
【００５４】
第１中間シート１３３は、第１気圧調整シート１３２に積層配置される。第１中間シート１３３は、第３穴部２０５と、第４穴部２０７とを有する。
【００５５】
第３穴部２０５は、長手方向ＰにおけるＰ１側に形成される。第３穴部２０５は、第２穴部２０３に対向して配置される。
第４穴部２０７は、長手方向ＰにおけるＰ２側に形成される。第４穴部２０７は、第１防水部２３１に対向して配置される。第４穴部２０７は、第３穴部２０５よりも面積が大きくなるよう設定される。
【００５６】
上述の通り、第４穴部２０７は、第１防水部２３１の大きさ（面積）等を規定する。本実施形態において、内側気圧調整部材１３０における通気性能を規定する第１防水部２３１及び第２防水部２３３のうち第１防水部２３１の面積を大きくするため、第４穴部２０７の面積を大きく設定している。
【００５７】
また、第１中間シート１３３は、本実施形態において、接着シート部材により構成され、第１気圧調整シート１３２と、第２中間シート１３４とを密着させると共に、密着した状態で互いを接着する。
【００５８】
第２中間シート１３４は、第１中間シート１３３に積層配置される。第２中間シート１３４は、第５穴部２０９と、第６穴部２１１とを有する。
第２中間シート１３４は、非通気性の材料（例えば、ＰＥＴ（Ｐｏｌｙｅｔｈｙｌｅｎｅ  ｔｅｒｅｐｈｔｈａｌａｔｅ）で構成される。
【００５９】
第５穴部２０９は、長手方向ＰにおけるＰ１側に形成される。第５穴部２０９は、第３穴部２０５に対向して配置される。
第６穴部２１１は、長手方向ＰにおけるＰ２側に形成される。第６穴部２１１は、第４穴部２０７に対向して配置される。第６穴部２１１は、第４穴部よりも面積が小さくなるよう設定される。
【００６０】
第３中間シート１３５は、第２中間シート１３４に積層配置される。第３中間シート１３５は、第７穴部２１３と、第８穴部２１５とを有する。
【００６１】
第７穴部２１３は、長手方向ＰにおけるＰ１側に形成される。第７穴部２１３は、第５穴部２０９に対向して配置される。第７穴部２１３は、第５穴部２０９よりも面積が大きくなるよう設定される。
第７穴部２１３は、後述する第２防水部２３３の大きさ（面積）等を規定する。本実施形態において、内側気圧調整部材１３０における通気性能を規定する第１防水部２３１及び第２防水部２３３のうち第２防水部２３３の面積を大きくするため、第７穴部２１３の面積を大きく設定している。
【００６２】
第８穴部２１５は、長手方向ＰにおけるＰ２側に形成される。第８穴部２１５は、第６穴部２１１に対向して配置される。
【００６３】
また、第３中間シート１３５は、本実施形態において、接着シート部材により構成され、第２中間シート１３４と、後述する第２気圧調整シート１３６とを密着させると共に、密着した状態で互いを接着する。
【００６４】
第２気圧調整シート１３６は、第３中間シート１３５に積層配置される。第２気圧調整シート１３６は、防水性及び通気性を有するシート部材である。
第２気圧調整シート１３６は、第２防水部２３３（第２シート側防水部）と、第９穴部２１７（第２シート側穴部）とを有する。
【００６５】
第２防水部２３３は、長手方向ＰにおけるＰ１側に形成される。第２防水部２３３は、第７穴部２１３に対向して配置される。
第２防水部２３３は、後述する第９穴部２１７よりも面積が大きくなるよう設定される。
第２防水部２３３は、上述する第７穴部２１３に対応する部分である。
第２防水部２３３は、防水性を有すると共に、通気性を有する部分である。
第２防水部２３３の面積と、上述した第１防水部２３１の面積とが、内側気圧調整部材１３０における通気性（通気量／時間）に大きく影響を与える。
また、第２防水部２３３は、防水性及び通気性を有し、上述した第２穴部２０３を通気した気体を通気させる部分である。
【００６６】
第９穴部２１７は、長手方向ＰにおけるＰ２側に形成される。第９穴部２１７は、第８穴部２１５に対向して配置される。
また、第９穴部２１７は、通気性を有し、第１防水部２３１を通気した気体を通気させる穴部である。
【００６７】
第２接着シート部材１３７は、第１０穴部２１９を有する環状の接着シート部材である。
第２接着シート部材１３７は、第２気圧調整シート１３６に積層配置される。
第１０穴部２１９は、第９穴部２１７及び第２防水部２３３に対向して配置されると共に、外側通気孔１２１に対向して配置される。
第２接着シート部材１３７は、第１０穴部２１９が外側通気孔１２１を囲むように配置される。
第２接着シート部材１３７は、第２気圧調整シート１３６と外部ケース２ｂとを密着させると共に、密着した状態で互いを接着する。
【００６８】
本実施形態において、第１気圧調整シート１３２及び第２気圧調整シート１３６それぞれは、長手方向Ｐ（所定方向）に長い形状であって互いに略同じ形状である。
第１気圧調整シート１３２に形成される第２穴部２０３は、長手方向ＰにおけるＰ１側（一端側）に形成される。
第２気圧調整シート１３６に形成される第９穴部２１７は、長手方向ＰにおけるＰ２側（他端側）に形成される。
本実施形態において、第１気圧調整シート１３２に形成される第２穴部２０３を長手方向ＰにおけるＰ１側（一端側）に形成することで、第１防水部２３１の面積を大きくしている。
また、第２気圧調整シート１３６に形成される第９穴部２１７を長手方向ＰにおけるＰ２側（他端側）に形成することで、第２防水部２３３の面積を大きくしている。
つまり、本実施形態における気圧調整シートを２枚積層した内側気圧調整部材１３０において、上述の構成は、通気面積を大きくする態様として好ましい態様である。
【００６９】
続けて、内側気圧調整部材１３０における作用について説明する。
図１１に示すように、内側気圧調整部材１３０は、水は透過させず気体は通気させる第１通気路Ｒ１と、水は透過させず気体は通気させ、第１通気路Ｒ１とは別の第２通気路Ｒ２とを有する。
筐体２がユーザの押圧操作等により変形した場合、内側気圧調整部材１３０は、第１通気路Ｒ１及び第２通気路Ｒ２における通気により、防水性を維持しながら、内部空間ＩＳの内圧を外部空間ＯＳの気圧と同じになるよう調整する。
【００７０】
第１通気路Ｒ１は、第１内部ケース２ａにおける内部空間ＩＳと外部ケース２ｂにおける第１内部ケース２ａ側と反対側の外部空間ＯＳとを第１防水部２３１を介して連通させる。
第１通気路Ｒ１は、第１穴部２０１と、第１防水部２３１と、第４穴部２０７と、第６穴部２１１と、第８穴部２１５と、第９穴部２１７と、第１０穴部２１９とを含んで構成される。
【００７１】
第２通気路Ｒ２は、第１通気路Ｒ１とは別の通気路であって、内部空間ＩＳと外部空間ＯＳとを第２防水部２３３を介して連通させる。
第２通気路Ｒ２は、第１穴部２０１と、第２穴部２０３と、第３穴部２０５と、第５穴部２０９と、第７穴部２１３と、第２防水部２３３と、第１０穴部２１９とを含んで構成される。
【００７２】
ここで、筐体２が押圧操作されたことにより内部空間ＩＳの内圧が上昇した場合、内部空間ＩＳの空気の一部は、第１通気路Ｒ１及び第２通気路Ｒ２を通って外部空間ＯＳに通気する。
具体的には、内部空間ＩＳの空気の一部は、内側通気孔１２５を介して外部空間ＭＳＡに移動する（図８参照）。
外部空間ＭＳＡに移動した空気は、第１穴部２０１を介して、第１気圧調整シート１３２側に移動する。
そして、第１気圧調整シート１３２側に移動した空気は、第１通気路Ｒ１と第２通気路Ｒ２とにわかれて通気する。
【００７３】
第１通気路Ｒ１を通気する空気は、第１防水部２３１を所定の単位時間当たりの通気量（単位面積当たりの単位時間当たりの通気量（例えば、ｍｌ／（ｍｉｎ・ｍｍ２））×第１防水部２３１の面積）で通気する。
第２通気路Ｒ２を通気する空気は、第２穴部２０３と、第３穴部２０５と、第５穴部２０９と、第７穴部２１３とを通気すると共に、第２防水部２３３を所定の単位時間当たりの通気量（単位面積当たりの単位時間当たりの通気量×第２防水部２３３の面積）で通気する。
ここで、本実施形態において、第１気圧調整シート１３２（第１防水部２３１）と、第２気圧調整シート１３６（第２防水部２３３）とは、同じ通気性（単位面積当たりの単位時間当たりの通気量）であると共に、同じ面積である。
【００７４】
これにより、第１通気路Ｒ１における第１防水部２３１の内部空間ＩＳ（外部空間ＭＳＡ）側の内圧と、第２通気路Ｒ２における第２防水部２３３の内部空間ＩＳ（外部空間ＭＳＡ）側の内圧とは、同じになる。
また、第１通気路Ｒ１における第１防水部２３１の単位時間当たりの通気量と、第２通気路Ｒ２における第２防水部２３３の単位時間当たりの通気量とは、同じになる。
【００７５】
そして、第１通気路Ｒ１において第１防水部２３１を通気した空気は、第４穴部２０７と、第６穴部２１１と、第８穴部２１５と、第９穴部２１７と、第１０穴部２１９とを介して、外部空間ＯＳに移動する。
また、第２通気路Ｒ２において第２防水部２３３を通気した空気は、第１０穴部２１９を介して、外部空間ＯＳに移動する。
【００７６】
これにより、携帯電話機１の内部空間ＩＳにおける空気の一部が外部空間ＯＳに移動して、携帯電話機１における防水性が維持された状態で、内部空間ＩＳにおける内圧と外部空間ＯＳにおける気圧とが同じになるように調整される。
【００７７】
また、筐体２がユーザの押圧操作の終了等によりもとの状態にもどった場合、内側気圧調整部材１３０は、第１通気路Ｒ１及び第２通気路Ｒ２における上記の通気と逆方向の通気により、防水性を維持しながら、内部空間ＩＳの内圧を外部空間ＯＳの気圧と同じになるよう調整する。
【００７８】
上述の通り、携帯電話機１は、筐体２に対する押圧操作等による変形により生じる内圧の急激な変化を調整可能に構成される。
【００７９】
本実施形態によれば、内側気圧調整部材１３０における単位時間当たりの通気量は、単位面積当たりの単位時間当たりの通気量×（第１防水部２３１の面積＋第２防水部２３３の面積）となる。
つまり、内側気圧調整部材１３０において、２枚の気圧調整シートが積層配置されているので、該内側気圧調整部材１３０における通気性能は、単に平面方向の面積に比例するのではなく、積層配置された２枚の気圧調整シートにおける通気領域面積の和に比例する。
よって、本実施形態によれば、複数の気圧調整シートを積層配置することで、通気性を向上させると共に、平面方向において省スペース化された携帯電話機を提供することができる。また、複数の気圧調整シートを積層配置することで、通気性を向上させると共に、平面方向において省スペース化された気圧調整部材を提供することができる。
【００８０】
また、本実施形態によれば、第１気圧調整シート１３２及び第２気圧調整シート１３６それぞれは、所定方向に長い形状であって互いに略同じ形状であり、第１気圧調整シート１３２に形成される前記第２穴部２０３は、所定方向（長手方向）における一端側に形成され、第２気圧調整シート１３６に形成される第９穴部２１７は、所定方向（長手方向）における他端側に形成される。これにより、本実施形態における携帯電話機１は、第１防水部２３１及び第２防水部２３３の面積及びその総和を大きくすることができる。
【００８１】
また、本実施形態によれば、携帯電話機１は、防水性を維持しつつ、内部空間ＩＳにおける内圧の急激な上昇を抑制できる。
【００８２】
また、本実施形態によれば、携帯電話機１は、内部空間ＩＳにおける内圧の急激な上昇を抑制することで、レシーバ２５ｂにおけるビリ音の発生を抑制できる。
【００８３】
また、本実施形態によれば、外側通気孔１２１が内部ケースの長手方向（筐体２の長手方向）において、操作キー群１１側と反対の端部側に形成される。これにより、携帯電話機１は、押圧操作を行うユーザの指等により外側通気孔１２１が塞がれることを抑制することができる。
【００８４】
以上、好適な実施形態について説明したが、本発明は上述した実施形態に限定されることなく種々の形態で実施することができる。例えば、本実施形態において、携帯電子機器として携帯電話機１について説明しているが、これに限定されず、携帯電子機器は、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００８５】
また、本実施形態において、筐体が一つであるストレートタイプの携帯電話機について説明しているが、携帯電子機器は、このような携帯電話機に限定されない。本発明の携帯電子機器として、例えば、複数の筐体を有するタイプも含まれる。例えば、携帯電子機器は、２つの筺体が連結部を介して折りたたみ可能に構成された折り畳みタイプや、２つの筐体が重ね合わされた状態から一方の筐体を一方向にスライド移動可能に構成されたスライドタイプや、２つの筺体が重ね合された状態から重ね合わせ方向に沿う軸線を中心に一方の筐体を回転可能に構成された回転（ターン）タイプや、いわゆる２軸ヒンジタイプであってもよい。
【００８６】
また、本実施形態において、２枚の気圧調整シートを積層配置して構成された気圧調整部材について説明しているが、これに限定されず、気圧調整部材は、２枚より多くの気圧調整シートが積層配置されて構成されていてもよい。
ここで、図１２により、４枚の気圧調整シートが積層配置されて構成された内側気圧調整部材５００について、説明する。
【００８７】
図１２に示すよう、内側気圧調整部材５００は、第１気圧調整シート５０２と、第２気圧調整シート５０５と、第３気圧調整シート５０９と、第４気圧調整シート５１２とを有する。
【００８８】
詳細には、図１２に示すように、内側気圧調整部材５００は、内側通気孔側から外側通気孔側から順に配置される、第１接着シート部材５０１と、第１気圧調整シート５０２と、第１中間シート５０３と、第２中間シート５０４と、第２気圧調整シート５０５と、第３中間シート５０６と、第４中間シート５０７と、第５中間シート５０８と、第３気圧調整シート５０９と、第６中間シート５１０と、第７中間シート５１１と、第４気圧調整シート５１２と、第２接着シート部材５１３と、を備える。
他の実施形態において、内側気圧調整部材５００を構成する上述のシートは、略正方形状である。
【００８９】
他の実施形態において、内側気圧調整部材５００は、４つの通気路を有する。
例えば、第１通気路（図１２において各シート部材の下側に形成）は、第１穴部５２１と、第１防水部５２２ａと、第５穴部５２３ａと、第９穴部５２４ａと、第１３穴部５２５ａと、第１６穴部５２６ａと、第２０穴部５２７ａと、第２４穴部５２８ａと、第２８穴部５２９ａと、第３１穴部５３０ａと、第３５穴部５３１ａと、第３９穴部５３２ａと、第４２穴部５３３とを有して構成される。
【００９０】
第２通気路（図１２において各シート部材の左側に形成）は、第１穴部５２１と、第２穴部５２２ｂと、第６穴部５２３ｂと、第１０穴部５２４ｂと、第２防水部５２５ｂと、第１７穴部５２６ｂと、第２１穴部５２７ｂと、第２５穴部５２８ｂと、第２９穴部５２９ｂと、第３２穴部５３０ｂと、第３６穴部５３１ｂと、第４０穴部５３２ｂと、第４２穴部５３３とを有して構成される。
【００９１】
第３通気路（図１２において各シート部材の上側に形成）は、第１穴部５２１と、第３穴部５２２ｃと、第７穴部５２３ｃと、第１１穴部５２４ｃと、第１４穴部５２５ｃと、第１８穴部５２６ｃと、第２２穴部５２７ｃと、第２６穴部５２８ｃと、第３０穴部５２９ｃと、第３３穴部５３０ｃと、第３７穴部５３１ｃと、第４防水部５３２ｃと、第４２穴部５３３とを有して構成される。
【００９２】
第４通気路（図１２において各シート部材の右側に形成）は、第１穴部５２１と、第４穴部５２２ｄと、第８穴部５２３ｄと、第１２穴部５２４ｄと、第１５穴部５２５ｄと、第１９穴部５２６ｄと、第２３穴部５２７ｄと、第２７穴部５２８ｄと、第３防水部５２９ｄと、第３４穴部５３０ｄと、第３８穴部５３１ｄと、第４１穴部５３２ｄと、第４２穴部５３３とを有して構成される。
【００９３】
他の実施形態によれば、内側気圧調整部材５００における単位時間当たりの通気量は、単位面積当たりの単位時間当たりの通気量×（第１防水部５２２ａの面積＋第２防水部５２５ｂの面積＋第３防水部５２９ｄの面積＋第４防水部５３２ｃの面積）となる。
つまり、内側気圧調整部材１３０において、４枚の気圧調整シートが積層配置されているので、該内側気圧調整部材１３０における通気性能は、単に平面方向の面積に比例するのではなく、積層配置された４枚の気圧調整シートにおける通気領域面積の和に比例する。
【００９４】
よって、他の実施形態によれば、複数の気圧調整シートを積層配置することで、通気性を向上させると共に、平面方向において省スペース化された携帯電話機及び気圧調整部材を提供することができる。
また、他の実施形態における携帯電話機及び気圧調整部材は、上述した実施形態における作用効果と同様の作用効果を奏する。
【符号の説明】
【００９５】
１          携帯電話機
２          筺体
２ａ        第１内部ケース（内部ケース部材）
２ｂ        外部ケース（外部ケース部材）
２ｄ        第２内部ケース（内部ケース部材）
１２０      裏面側気圧調整部
１２１      外側通気孔（第２貫通孔）
１２５      内側通気孔（第１貫通孔）
１３０      内側気圧調整部材（気圧調整部材）
１３１      第１接着シート部材
１３２      気圧調整シート（第１気圧調整シート）
１３３      第１中間シート
１３４      第２中間シート
１３５      第３中間シート
１３６      気圧調整シート（第２気圧調整シート）
１３７      第２接着シート部材
２０１      第１穴部
２０３      第２穴部
２０５      第３穴部
２０７      第４穴部
２０９      第５穴部
２１１      第６穴部
２１３      第７穴部
２１５      第８穴部
２１７      第９穴部
２１９      第１０穴部
２３１      第１防水部
２３３      第２防水部
ＩＳ        内部空間
ＯＳ        外部空間
Ｒ１        第１通気路
Ｒ２        第２通気路
【図１】
2013058918.tif 000003
【図２】
2013058918.tif 000004
【図３】
2013058918.tif 000005
【図４】
2013058918.tif 000006
【図５】
2013058918.tif 000007
【図６】
2013058918.tif 000008
【図７】
2013058918.tif 000009
【図８】
2013058918.tif 000010
【図９】
2013058918.tif 000011
【図１０】
2013058918.tif 000012
【図１１】
2013058918.tif 000013
【図１２】
2013058918.tif 000014